【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
バッテリシステムを充電する方法であって、
充電器がバッテリシステムに接続されたかを決定するステップであって、該バッテリシステムは、１つ以上のセルと、充電トランジスタとを含む、ステップと、
該セルの電圧レベルが、第１の低電圧レベルを下回ったかを決定するステップと、
該セルの該電圧レベルが該第１の低電圧レベルを下回った場合には、低下された速度において該セルを充電するステップであって、該充電トランジスタのゲート端子に印加される電圧を調節することにより、該充電器によって検知された電圧を第２の電圧レベルを下回るレベルに調整し、該バッテリシステムの少なくとも１つのコンポーネントに対して最小動作電圧を供給することを含む、ステップと、
該セルの該電圧が、該所定の第１の低電圧レベルに到達したときには、充電トランジスタを実質的に完全に動作可能にすることにより、該充電器によって全速で充電することを可能にするステップと
を包含する、方法。
【請求項２】
前記充電トランジスタの前記ゲート端子に印加される電圧を調節することは、該充電トランジスタを部分的に動作可能にすることを含む、請求項１に記載の方法。
【請求項３】
前記充電トランジスタを部分的に動作可能にすることは、前記セルの電圧が前記第１の電圧レベルを超過するまで該充電トランジスタを部分的に動作可能にすることを含む、請求項２に記載の方法。
【請求項４】
前記充電トランジスタを部分的に動作可能にすることは、前記セルの電位と前記最小動作電圧との間の差よりも高くなるように、該充電トランジスタにおける電位を調節することを含む、請求項２に記載の方法。
【請求項５】
前記充電トランジスタを部分的に動作可能にすることは、前記充電器によって検知された電圧が、該充電器が低下された充電速度から通常の充電速度に切り替わる電圧レベルよりも低くなるように、該充電トランジスタにおける電位を調節することを含む、請求項２に記載の方法。
【請求項６】
前記バッテリシステムは、バッテリモニタリング回路を含むバッテリ管理システムを含み、そして、前記充電トランジスタに印加される電圧を調節することは、該充電トランジスタに対する駆動信号を調節することにより、該バッテリ管理システムに対する入力において検知された電圧を、該バッテリ管理システムに対する最小動作電圧よりも高いレベルに維持することを含む、請求項１に記載の方法。
【請求項７】
前記バッテリシステムは、バッテリモニタリング回路を含むバッテリ管理システムを含み、そして、前記充電トランジスタに印加される電圧を調節することは、該充電トランジスタに対する駆動信号を調節することにより、該バッテリ管理システムに対する入力において検知された電圧を、該充電器が低下された充電速度から通常の充電速度に切り替わる電圧レベルよりも低いレベルに維持することを含む、請求項１に記載の方法。
【請求項８】
低下された速度において前記セルを充電することに先立ち、前記バッテリシステムにおけるモニタリング回路を動作可能にするステップと、
該セルの該低下された速度の充電をモニタリングするステップと
をさらに包含する、請求項１に記載の方法。
【請求項９】
充電の間に、前記バッテリシステムの安全をモニタリングするステップをさらに包含する、請求項８に記載の方法。
【請求項１０】
充電の間に、前記バッテリシステムの前記セルの容量の変化をモニタリングするステップをさらに包含する、請求項８に記載の方法。
【請求項１１】
前記充電トランジスタに印加される電圧を調節することは、前記バッテリシステムの動作電圧が、事前に定められた最大値を上回っているかを決定することを含み、上回っている場合には、該充電トランジスタに与えられる駆動電圧を増加させる、請求項１に記載の方法。
【請求項１２】
前記充電トランジスタに印加される電圧を調節することは、前記バッテリシステムの動作電圧が事前に定められた最小値を下回っているかを決定することを含み、下回っている場合には、該充電トランジスタに与えられた駆動電圧を減少させる、請求項１に記載の方法。
【請求項１３】
バッテリシステムを充電する方法であって、
充電器が該バッテリシステムに接続されたかを決定するステップであって、該バッテリシステムは、１つ以上のセルと、充電可能なトランジスタと、充電モニタ制御回路とを含む、ステップと、
該セルを充電することに先立ち、該充電モニタ制御回路を動作可能にするステップと、
該セルの電圧レベルが第１の低電圧レベルを下回ったかを決定するステップと、
該セルの該電圧レベルが該第１の低電圧レベルを下回った場合には、低下された速度において該セルを充電するステップであって、該充電トランジスタを部分的に動作可能にし、該バッテリシステムの少なくとも１つのコンポーネントに対して最小動作電圧を供給することを含む、ステップと、
該セルの該電圧が該第１の低電圧レベルに到達したときには、充電トランジスタを実質的に完全に動作可能にすることにより、該充電器によって全速で充電することを可能にするステップと
を包含する、方法。
【請求項１４】
前記充電トランジスタを部分的に動作可能にすることは、前記充電器によって検知された電圧を所定の第２の電圧レベルを下回るレベルに調整することを含む、請求項１３に記載の方法。
【請求項１５】
バッテリシステムを充電する方法であって、
充電器が充電トランジスタを介して該バッテリシステムに接続されたかを決定するステップと、
該バッテリシステムの１つ以上のセルが低下された速度の充電を可能にする第１の閾値を下回る電圧である間に、該充電トランジスタを部分的に動作可能にされた状態にすることを可能にするステップと、
該電圧レベルが全速の充電を可能にする第１の閾値以上である場合に、該充電トランジスタを完全に動作可能にされた状態にすることを可能にするステップと
を包含する、方法。
【請求項１６】
方法であって、
充電器がバッテリシステムに既に接続されていることを決定するステップであって、該バッテリシステムは、１つ以上のセルと、該１つ以上のセルの電圧レベルをモニタリングするモニタリング回路と、該１つ以上のセルの該充電を可能にする充電トランジスタと、該充電トランジスタのゲート端子を駆動する駆動回路とを含む、ステップと、
該１つ以上のセルの電圧レベルをモニタリングし、該モニタリングされた電圧レベルが第１の閾値の電圧レベルを下回っているかを決定するステップと、
モニタリンクされる電圧レベルが、第１の閾値電圧レベルを下回っている場合には、低下された速度において該セルを充電することを可能にするステップあって、該充電トランジスタのゲート端子を部分的に動作可能にし、前記モニタリング回路に対する最小動作電圧を供給することを含む、ステップと、
該モニタリングされた電圧が該第１の閾値の電圧レベルを超過したときには、該充電トランジスタを実質的に完全に動作可能にするステップと
を包含する、方法。
【請求項１７】
低下された速度で充電することを可能にすることは、前記充電器によって検知された電圧を調整することを含む、請求項１６に記載の方法。
【請求項１８】
装置であって、
ハイサイドのＮＦＥＴ充電トランジスタと、
該ハイサイドのＮＦＥＴ充電トランジスタを駆動する駆動回路と、
充電されるバッテリセルの電圧レベルをモニタリングするために該駆動回路に接続されるモニタ回路と
を備え、
該駆動回路は、該バッテリセルの該電圧レベルが、充電器の存在している間に、第１の閾値レベルを下回っている場合には、該ハイサイドのＮＦＥＴの充電トランジスタを部分的に動作可能にし、該駆動回路は、該モニタリング回路の最小動作電圧を供給するように動作可能である、装置。
【請求項１９】
装置であって、
バッテリパックの充電トランジスタを駆動する駆動回路と、
充電されるバッテリセルの電圧レベルをモニタリングするために該駆動回路に接続されるモニタ回路と、
を備え、
該駆動回路は、該バッテリセルの該電圧レベルが、充電器の存在している間に、第１の閾値レベルを下回っている場合には、該充電トランジスタを部分的に動作可能にし、該駆動回路は、該モニタ回路の最小動作電圧を供給するように動作可能である、装置。